【事件の表示】
　特許第３３７１４１８号「プラント監視装置」の請求項１ないし３に係る特許に対する特許異議の申立てについて、次のとおり決定する。
【結　論】
　訂正を認める。
　特許第３３７１４１８号の請求項１ないし３に係る特許を維持する。
【理　由】
　
１．手続の経緯
　出願　　　　　　平成１０年　５月　６日
　特許権設定登録　平成１４年１１月２２日
　　（公報発行日　平成１５年　１月２７日）
　特許異議申立て　平成１５年　７月２８日（申立人　藤山和宏）　
  取消理由通知　  平成１５年１１月２７日
　　　　　　　　（平成１５年１２月　９日発送）
　訂正請求　　　　平成１６年　２月　６日
　
　
２．訂正の適否
　
２−１　訂正の内容
　平成１６年２月６日付け訂正請求書に添付された全文訂正明細書の記載によれば、特許権者が求めている訂正の内容は、以下の訂正を行うものと認められる。
　
訂正事項１
　特許請求の範囲の請求項１中の「前記プラントからプロセスデータを取得し、前記プログラムファイルによるＷＷＷブラウザ手段の呼び出し命令により、ＷＷＷブラウザ手段にプロセスデータを送信するデータ送信手段とを有し、前記ＷＷＷブラウザ手段が、前記データ送信手段のプロセスデータと・・」を、「
前記プラントを監視すると共に、制御するフィールド・コントロール・ステーンョンからプロセスデータを、制御バスを介して取得するプロセスデータハンドラ手段と、前記プログラムファイルによるＷＷＷブラウザ手段の呼び出し命令により、ＷＷＷブラウザ手段にプロセスデータを、前記プロセスデータハンドラ手段から取得し、送信するリモート・データ・アクセス・サーバ手段
リモート・データ・アクセス・サーバ手段
　
訂正事項２
　発明の詳細な説明の０００７段落中の「前記プラントからプロセスデータを取得し、前記プログラムファイルによるＷＷＷブラウザ手段の呼び出し命令により、ＷＷＷブラウザ手段にプロセスデータを送信するデータ送信手段とを有し、前記ＷＷＷブラウザ手段が、前記データ送信手段のプロセスデータと・・」を、「
前記プラントを監視すると共に、制御するフィールド・コントロール・ステーンョンからプロセスデータを、制御バスを介して取得するプロセスデータハンドラ手段と、前記プログラムファイルによるＷＷＷブラウザ手段の呼び出し命令により、ＷＷＷブラウザ手段にプロセスデータを、前記プロセスデータハンドラ手段から取得し、送信するリモート・データ・アクセス・サーバ手段
リモート・データ・アクセス・サーバ手段
　
訂正事項３．
　発明の詳細な説明の００１０段落中の「データ送信手段」を、「
リモート・データ・アクセス・サーバ手段
　
　
２−２　訂正の適否
　
（１）訂正事項１について
　ア．請求項１についての訂正事項１は、発明を特定する事項である「前記プラントからプロセスデータを取得し、前記プログラムファイルによるＷＷＷブラウザ手段の呼び出し命令により、ＷＷＷブラウザ手段にプロセスデータを送信するデータ送信手段とを有し、前記ＷＷＷブラウザ手段が、前記データ送信手段のプロセスデータと・・」という構成を、これに含まれる事項である「
前記プラントを監視すると共に、制御するフィールド・コントロール・ステーンョンからプロセスデータを、制御バスを介して取得するプロセスデータハンドラ手段と、前記プログラムファイルによるＷＷＷブラウザ手段の呼び出し命令により、ＷＷＷブラウザ手段にプロセスデータを、前記プロセスデータハンドラ手段から取得し、送信するリモート・データ・アクセス・サーバ手段
リモート・データ・アクセス・サーバ手段
　
　イ．願書に添付した明細書（以下、「特許明細書」という。また、願書に添付した明細書及び図面を、以下「特許明細書・図面」という。）の発明の詳細な説明の００１０段落、００１３段落、００１５段落の記載、図１の記載からみて、「前記プラントを監視すると共に、制御するフィールド・コントロール・ステーンョンからプロセスデータを、制御バスを介して取得するプロセスデータハンドラ手段と、前記プログラムファイルによるＷＷＷブラウザ手段の呼び出し命令により、ＷＷＷブラウザ手段にプロセスデータを、前記プロセスデータハンドラ手段から取得し、送信するリモート・データ・アクセス・サーバ手段とを有し、前記ＷＷＷブラウザ手段が、前記リモート・データ・アクセス・サーバ手段のプロセスデータと・・」という構成は、特許明細書・図面の記載から自明な事項である。
　よって、訂正事項１は、特許明細書・図面に記載した事項の範囲内においてなされたものである。
　
　ウ．そして、訂正事項１は、実質上特許請求の範囲を拡張又は変更するものではない。
　
　エ．特許異議の申立てがなされていない請求項４、請求項５は、請求項４が請求項１を引用する請求項２を更に引用するものであり、請求項５が請求項１を引用する請求項２を更に引用する請求項４を更に引用するものであることから、請求項４，５は請求項１についての訂正事項１により特許請求の範囲の減縮を目的とする訂正がなされたものである。そこで、独立特許要件について検討すると、訂正後の請求項４、請求項５に記載されている事項により特定される発明は、下記の本件発明１を更に限定するものであるから、下記３−４（１）と同様に引用刊行物１又は２に記載された発明であるとも、引用刊行物１ないし３に記載された各発明から容易に発明をすることができたものであるとも、甲第４号証に記載の発明と実質的に同一であるとも認められず、またその他に特許出願の際に独立して特許を受けることができないという理由はない。
　
　
（２）訂正事項２について
　訂正事項２は、請求項１についての訂正事項１と整合を図るものであるから、明りょうでない記載の釈明を目的とした明細書の訂正に該当するものであり、特許明細書・図面に記載した事項の範囲内においてなされたものであり、実質上特許請求の範囲を拡張又は変更するものではない。
　
（３）訂正事項３について
　訂正事項３は、請求項１についての訂正事項１と整合を図るものであるから、明りょうでない記載の釈明を目的とした明細書の訂正に該当するものであり、特許明細書・図面に記載した事項の範囲内においてなされたものであり、実質上特許請求の範囲を拡張又は変更するものではない。
　
　
２−３　むすび
　以上のとおりであるから、上記訂正は、特許法１２０条の４第第２項及び第３項において準用する特許法第１２６条第２項から第４項までの規定に適合するので、上記訂正を認める。
　
　
３．異議申立てについての判断
　
３−１　本件発明
　上記のとおり、訂正は認められるから、本件の請求項１ないし５にかかる発明は、上記訂正請求にかかる訂正明細書の請求項１ないし５に記載された事項により特定される次のとおりのものである（以下、本件の請求項１ないし３に係る発明を、それぞれ「本件発明１」ないし「本件発明３」という。）。
　
　　【請求項１】　プラントの状態を示すプラント監視画面を表示するプラント監視装置において、
　プラント監視画面ごとに設けられると共に、ＷＷＷブラウザ手段で用いられる汎用プログラムで作成され、描画表示命令と前記プラントのプロセスデータの呼び出し命令が記述されているプログラムファイルと、
　このプログラムファイルの呼び出し命令が記述されているＨＴＭＬファイルと、
　ＨＴＴＰで通信を行い、前記ＨＴＭＬファイルと前記プログラムファイルとを公開するＷＷＷサーバ手段と、
　
前記プラントを監視すると共に、制御するフィールド・コントロール・ステーションからプロセスデータを、制御バスを介して取得するプロセスデータハンドラ手段と、　前記プログラムファイルによるＷＷＷブラウザ手段の呼び出し命令により、ＷＷＷブラウザ手段にプロセスデータを、前記プロセスデータハンドラ手段から取得し、送信するリモート・データ・アクセス・サーバ手段
を有し、前記ＷＷＷブラウザ手段が、前記
リモート・データ・アクセス・サーバ手段
　　【請求項２】　プログラムファイルは、バイナリコードファイルであることを特徴とする請求項１記載のプラント監視装置。
　　【請求項３】　ＨＴＭＬファイルに、他のプログラムファイルを呼び出すＨＴＭＬファイルを呼び出すリンクタグが記述されていることを特徴とする請求項１または２記載のプラント監視装置。
　　【請求項４】　プラント監視専用のグラフィックス画面手段に用いられるプラント監視画面ソースファイルをＷＷＷブラウザ手段に用いられる汎用プログラムのプログラムソースファイルに変換する変換手段と、
　前記汎用プログラムソースファイルをバイナリコードファイルにコンパイルするコンパイラ手段と
を有することを特徴とする請求項２記載のプラント監視装置。
　　【請求項５】　変換手段は、
　プラント監視画面ソースファイルを読み込み、どのようなプログラムであるかの解析を行う解析手段と、
　この解析結果に基づいて、プログラムソースファイルを生成する生成手段とからなることを特徴とする請求項４記載のプラント監視装置。　
　
　
３−２　申立の理由の概要
　
　特許異議申立人藤山和宏は、
（i）甲第１、２号証（下記引用刊行物１、２）を提示して、本件の請求項１、２に係る発明の特許は、特許法第２９条第１項第３号の規定に違反してなされたものであるから、取り消されるべきものである旨主張し、
（ii）甲第１〜甲第３号証（下記引用刊行物１〜３）を提示して、本件の請求項１−３に係る発明の特許は、特許法第２９条第２項の規定に違反してなされたものであるから、取り消されるべきものである旨主張し、
（iii）甲第４号証を提示して、本件の請求項１−３に係る発明の特許は、特許法第２９条の２の規定に違反してなされたものであるから、取り消されるべきものである旨主張している。
　
　
３−３　取消理由通知で引用した刊行物等
　刊行物１：「ネットワーク機器の運用状態を容易に監視できるＷＷＷを使用したネットワーク管理ソフト」、日立電線、Ｎｏ．１７（１９９８年１月１日発行）、第１９〜２２頁（甲第１号証）
　刊行物２：特開平１０−０４１８６１号公報（甲第２号証）
　刊行物３：「イントラネットの核になる技術〜ＷＷＷの動向〜」、ＣＱ出版、OPEN DESIGN １０月号（第３巻第５号、１９９６年１０月１日発行）第２８〜５１頁（甲第３号証）
　甲第４号証：特願平９−２３６０３７号の願書に最初に添付した明細書及び図面（特開平１１−８５６５１号公報参照）（以下、特願平９−２３６０３７号の願書に最初に添付した明細書及び図面に記載された発明を、「先願発明」という。）
　
　
３−４　対比・判断
　
（１）本件発明１について
　本件発明１と、上記引用刊行物１〜３（甲第１〜３号証）に記載された各発明及び先願発明とを対比すると、後者のいずれにも、「プラントを監視すると共に、制御するフィールド・コントロール・ステーションからプロセスデータを、制御バスを介して取得するプロセスデータハンドラ手段と、プログラムファイルによるＷＷＷブラウザ手段の呼び出し命令により、ＷＷＷブラウザ手段にプロセスデータを、前記プロセスデータハンドラ手段から取得し、送信するリモート・データ・アクセス・サーバ手段とを有する」構成については記載もされておらず、示唆もされていない。
　
　したがって、本件発明１が、引用刊行物１又は２に記載された発明であるとも、引用刊行物１ないし３に記載された各発明から容易に発明をすることができたものであるとも、先願発明と実質的に同一であるとも認められない。
　
　
（２）本件発明２について
　本件発明２は、本件発明１を更に限定するものであるから、上記（１）と同様に、引用刊行物１又は２に記載された発明であるとも、引用刊行物１ないし３に記載された各発明から容易に発明をすることができたものであるとも、先願発明と実質的に同一であるとも認められない。
　
　
（３）本件発明３について
　本件発明３は、本件発明１を更に限定するものであるから、上記（１）と同様に、引用刊行物１ないし３に記載された各発明から容易に発明をすることができたものであるとも、先願発明と実質的に同一であるとも認められない。
　
　
４．結論
　したがって、特許異議申立ての理由及び証拠によっては、請求項１ないし３に係る発明の特許を取り消すべき理由を発見しない。
　よって、結論のとおり決定する。
【異議決定日】
平成１６年９月３０日（２００４．９．３０）
【訂正の要旨】
審決（決定）の【理由】欄参照。
（５４）【発明の名称】
プラント監視装置
（５７）【特許請求の範囲】
　【請求項１】　プラントの状態を示すプラント監視画面を表示するプラント監視装置において、
　プラント監視画面ごとに設けられると共に、ＷＷＷブラウザ手段で用いられる汎用プログラムで作成され、描画表示命令と前記プラントのプロセスデータの呼び出し命令が記述されているプログラムファイルと、
　このプログラムファイルの呼び出し命令が記述されているＨＴＭＬファイルと、
　ＨＴＴＰで通信を行い、前記ＨＴＭＬファイルと前記プログラムファイルとを公開するＷＷＷサーバ手段と、
　
前記プラントを監視すると共に、制御するフィールド・コントロール・ステーションからプロセスデータを、制御バスを介して取得するプロセスデータハンドラ手段と、
　
前記プログラムファイルによるＷＷＷブラウザ手段の呼び出し命令により、ＷＷＷブラウザ手段にプロセスデータを、前記プロセスデータハンドラ手段から取得し、送信するリモート・データ・アクセス・サーバ手段
を有し、前記ＷＷＷブラウザ手段が、前記
リモート・データ・アクセス・サーバ手段
　【請求項２】　プログラムファイルは、バイナリコードファイルであることを特徴とする請求項１記載のプラント監視装置。
　【請求項３】　ＨＴＭＬファイルに、他のプログラムファイルを呼び出すＨＴＭＬファイルを呼び出すリンクタグが記述されていることを特徴とする請求項１または２記載のプラント監視装置。
　【請求項４】　プラント監視専用のグラフィックス画面手段に用いられるプラント監視画面ソースファイルをＷＷＷブラウザ手段に用いられる汎用プログラムのプログラムソースファイルに変換する変換手段と、
　前記汎用プログラムソースファイルをバイナリコードファイルにコンパイルするコンパイラ手段と
を有することを特徴とする請求項２記載のプラント監視装置。
　【請求項５】　変換手段は、
　プラント監視画面ソースファイルを読み込み、どのようなプログラムであるかの解析を行う解析手段と、
　この解析結果に基づいて、プログラムソースファイルを生成する生成手段とからなることを特徴とする請求項４記載のプラント監視装置。
【発明の詳細な説明】
　【０００１】
　【発明の属する技術分野】
　本発明は、プラントの状態を示すプラント監視画面を専用端末で表示するプラント監視装置に関し、ＷＷＷブラウザ手段によりプラントの状態を監視することができるプラント監視装置に関するものである。
　【０００２】
　【従来の技術】
　従来のプラント監視装置では、専用端末で、閉鎖されたネットワークによりプラントの監視を行うと共に、プラントの制御を行っていた。このような装置を図５に示し説明する。
　【０００３】
　図において、フィールド・コントロール・ステーションＦＣＳは、プラント１を監視すると共に、制御する。オペレータ・ステーションＯＰＳは、独自のネットワークプロトコルで構築された制御バスＢを介して、フィールド・コントロール・ステーションＦＣＳからプロセスデータを取得すると共に、フィールド・コントロール・ステーションＦＣＳに対して、プラント１を制御する制御信号を出力する。そして、オペレータ・ステーションＯＰＳは、グラフィック画面手段ＧＲを有し、ハードディスク２にプラント監視画面オブジェクト３を格納している。グラフィック画面手段ＧＲは、プラント監視画面オブジェクト３を解釈して、フィールド・コントロール・ステーションＦＣＳからプロセスデータを取得すると共に、プラント監視画面を描画する。
　【０００４】
　このような装置の動作を以下に説明する。
　監視員が、専用端末であるオペレータ・ステーションＯＰＳを操作し、グラフィック画面手段ＧＲを起動する。グラフィック画面手段ＧＲは、ハードディスク２からプラント監視画面オブジェクト３を取得し、解釈する。そして、グラフィック画面手段ＧＲは、フィールド・コントロール・ステーションＦＣＳからプロセスデータを取得し、プラント監視画面を描画する。
　【０００５】
　【発明が解決しようとする課題】
　このような装置では、プラントを監視するためには専用端末を用意しなければならなかった。そのため、計装エンジニアやマネージャ等が事務棟からフィールドを監視したい場合、専用の制御バスを設けると共に、専用端末を設けなければならないという問題点があった。
　【０００６】
　そこで、本発明の目的は、専用端末を設けることなく、ＷＷＷブラウザによりプラントの状態を監視することができるプラント監視装置を実現することにある。
　【０００７】
　【課題を解決するための手段】
　本発明は、
　プラントの状態を示すプラント監視画面を表示するプラント監視装置において、
　プラント監視画面ごとに設けられると共に、ＷＷＷブラウザ手段で用いられる汎用プログラムで作成され、描画表示命令と前記プラントのプロセスデータの呼び出し命令が記述されているプログラムファイルと、
　このプログラムファイルの呼び出し命令が記述されているＨＴＭＬファイルと、
　ＨＴＴＰで通信を行い、前記ＨＴＭＬファイルと前記プログラムファイルとを公開するＷＷＷサーバ手段と、
　
前記プラントを監視すると共に、制御するフィールド・コントロール・ステーションからプロセスデータを、制御バスを介して取得するプロセスデータハンドラ手段と、
　
前記プログラムファイルによるＷＷＷブラウザ手段の呼び出し命令により、ＷＷＷブラウザ手段にプロセスデータを、前記プロセスデータハンドラ手段から取得し、送信するリモート・データ・アクセス・サーバ手段
を有し、前記ＷＷＷブラウザ手段が、前記
リモート・データ・アクセス・サーバ手段
　【０００８】
　このような本発明では、ＷＷＷブラウザ手段が、ＷＷＷサーバ手段にＨＴＭＬファイルの呼び出しを要求する。そして、ＷＷＷサーバ手段は、ＨＴＭＬファイルをＷＷＷブラウザ手段に送信する。
　【０００９】
　そして、ＷＷＷブラウザ手段は、ＨＴＭＬファイルのプログラムファイルの呼び出し命令に従い、ＷＷＷサーバ手段にプログラムファイルの呼び出しを要求する。ＷＷＷサーバ手段は、プログラムファイルをＷＷＷブラウザ手段に送信する。
　【００１０】
　ＷＷＷブラウザ手段は、プログラムファイルの描画表示命令とプロセスデータの呼び出し命令に従い、プロセスデータを
リモート・データ・アクセス・サーバ手段
　【００１１】
　【発明の実施の形態】
　以下図面を用いて本発明を説明する。
　図１は本発明の一実施例を示した構成図である。
　図において、フィールド・コントロール・ステーションＦＣＳは、プラント１を監視すると共に、制御する。オペレータ・ステーションＯＰＳは、専用端末で、独自のネットワークプロトコルで構築された制御バスＢを介して、フィールド・コントロール・ステーションＦＣＳからプロセスデータを取得すると共に、フィールド・コントロール・ステーションＦＣＳに対して、プラント（図示せず）を制御する制御信号を出力する。
　【００１２】
　パソコンＰＣは、ＷＷＷブラウザ手段１０を有し、イーサネットＬＡＮに接続している。
　【００１３】
　サーバＳＶは、ＷＷＷサーバ手段２１とプロセスデータベースハンドラ手段２２とリモート・データ・アクセス・サーバ手段２３とを有し、ハードディスクＨＤに接続すると共に、イーサネットＬＡＮと制御バスＢとに接続している。ハードディスクＨＤは、プログラムファイルであるＪａｖａ　Ａｐｐｌｅｔ３１とＨＴＭＬ（ＨｙｐｅｒＴｅｘｔ　Ｍａｒｋｕｐ　Ｌａｎｇｕａｇｅ）ファイル３２とが格納されている。（なお、Ｊａｖａは、米国およびその他の国における米国Ｓｕｎ　Ｍｉｃｒｏｓｙｓｔｅｍｓ，Ｉｎｃ．の商標または登録商標です。）
　【００１４】
　Ｊａｖａ　Ａｐｐｌｅｔ３１は、プラント監視画面ごとに設けられると共に、ＷＷＷブラウザ手段１０で用いられる汎用プログラムで作成され、描画表示命令とプラント１のプロセスデータの呼び出し命令が記述されている。ＨＴＭＬファイル３２は、Ｊａｖａ　Ａｐｐｌｅｔ３１の呼び出し命令が記述されている。また、ＨＴＭＬファイル３２は、他のＪａｖａ　Ａｐｐｌｅｔ３１を呼び出すＨＴＭＬファイルを呼び出すリンクタグも記述されている。
　【００１５】
　ＷＷＷサーバ手段２１は、ＨＴＴＰ（ＨｙｐｅｒＴｅｘｔ　Ｔｒａｎｓｆｅｒ　Ｐｒｏｔｏｃｏｌ）で通信を行い、ＨＴＭＬファイル３２を公開する。プロセスデータベースハンドラ手段２２は、フィールド・コントロール・ステーションＦＣＳからプロセスデータを取得する。リモート・データ・アクセス・サーバ手段２３は、Ｊａｖａ　Ａｐｐｌｅｔ３１によるＷＷＷブラウザ手段１０が出力する呼び出し命令により、ＷＷＷブラウザ手段１０にプロセスデータを、プロセスデータベースハンドラ手段２２から取得し、送信する。そして、プロセスデータベースハンドラ手段２２とリモート・データ・アクセス・サーバ手段２３とにより、データ送信手段が構成される。
　【００１６】
　このような装置の動作を以下で説明する。
　パソコンＰＣのＷＷＷブラウザ手段１０が、ＷＷＷサーバ手段２１に対して、ＨＴＭＬファイル３２の読み込みを要求する。ＷＷＷサーバ手段２１は、ハードディスクＨＤからＨＴＭＬファイル３２を読み出して、ＷＷＷブラウザ手段１０に送る。ＷＷＷブラウザ手段１０は、ＨＴＭＬファイル３２を読み込んで、ＨＴＭＬファイル３２の指示に従い、Ｊａｖａ　ａｐｐｌｅｔ３１の読み込みをＷＷＷサーバ手段２１に要求する。ＷＷＷサーバ手段２１は、ハードディスクＨＤからＪａｖａ　ａｐｐｌｅｔ３１を読み出して、ＷＷＷブラウザ手段１０に送る。
　【００１７】
　ＷＷＷブラウザ手段１０は、Ｊａｖａ　Ａｐｐｌｅｔ３１の指示により、リモート・データ・アクセス・サーバ手段２３に対して、プロセスデータの取得を定周期で要求する。リモート・データ・アクセス・サーバ手段２３は、プロセスデータベースハンドラ手段２２に対してプロセスデータの取得を要求する。プロセスデータベースハンドラ手段２２は、フィールド・コントロール・ステーションＦＣＳがプラントから取得したプロセスデータを取得し、リモート・データ・アクセス・サーバ手段２３にプロセスデータを渡す。リモート・データ・アクセス・サーバ手段２３は、プロセスデータベースハンドラ手段２２から取得したプロセスデータを、ＷＷＷブラウザ手段１０に送信する。
　【００１８】
　ＷＷＷブラウザ手段１０は、リモート・データ・アクセス・サーバ手段２３からのプロセスデータとＪａｖａ　Ａｐｐｌｅｔ３１とにより、プロセスデータに基づいたプラント監視画面の表示を行う。
　【００１９】
　このように、ＷＷＷサーバ手段２１によりＨＴＭＬファイル３２を公開し、ＷＷＷブラウザ手段１０で、ＨＭＴＬファイル３２を読み込み、Ｊａｖａ　Ａｐｐｌｅｔ３１を読み込んで、Ｊａｖａ　Ａｐｐｌｅｔ３１の指示によりプロセスデータを取得し、プラント監視画面の表示を行う。従って、プラント監視画面を表示するための専用ソフトを予めインストールする必要がない。つまり、専用端末を必要としない。
　【００２０】
　また、ＨＴＭＬファイル３２を用いているので、他のＨＴＭＬファイル３２を呼び出すリンクタグを用いれば、プラント監視画面の切替をユーザが自由に設定変更することができる。そして、画面切替のために、Ｊａｖａ　Ａｐｐｌｅｔ３１にリンクのプログラムを作成する必要がない。
　【００２１】
　次に、プラント監視画面のプログラム変換装置の構成を示す。
　図２はプラント監視画面のプログラム変換装置の構成を示した図である。図１と同一のものは、同一符号を付し、説明を省略する。
　図において、プラント監視画面ソースファイル４１は、グラフィック画面手段ＧＲに用いられるプログラムで作成され、プラント監視画面を描画するプログラムが記述されている。グラフィックコンパイラ手段Ｃ１は、プラント監視画面ソースファイル４１をプラント監視画面オブジェクト３に変換する。プラント監視画面オブジェクト３は、バイナリコードである。グラフィック画面手段ＧＲは、プラント監視画面オブジェクト３を呼び出して、プラント監視画面オブジェクト３の指示に従い、描画を行う。以上の構成が図５の従来のプラント監視装置で行われていた処理構成である。
　【００２２】
　変換手段Ｔは、プラント監視画面ソースファイル４１をＪａｖａソースファイル４２に変換する。Ｊａｖａコンパイラ手段Ｃ２は、Ｊａｖａソースファイル４２をＪａｖａ　Ａｐｐｌｅｔ３１にコンパイルする。ＷＷＷブラウザ手段１０は、Ｊａｖａ　Ａｐｐｌｅｔ３１によりプラント監視画面を表示する。以上の構成が、実施例の処理構成である。
　【００２３】
　さらに、詳細に図３に変換手段Ｔの詳細構成を示し、説明する。
　図において、解析手段Ｔ１は、プラント監視画面ソースファイル４１を読み込み、どのようなプログラムであるか、例えば、初期表示プログラム、定周期表示プログラム、定周期データ収集プログラム、条件による動作変化プログラムのどれに当てはまるか、解析を行い、記憶部Ｔ２にプログラムと共に、解析結果を格納する。生成手段Ｔ３は、記憶部Ｔ２の解析結果からプログラムを呼び出し、Ｊａｖａソースコードを生成し、Ｊａｖａソースファイル４２を生成する。
　【００２４】
　このような装置の動作を以下に説明する。
　図４は変換手段Ｔの動作を示したフローチャートである。
　解析手段Ｔ１は、プラント監視画面ソースファイル４１のプログラムを順次読み込み、どのようなプログラムであるかを解析する。この解析結果を、解析手段Ｔ１は、対応するプログラムと共に、記憶部Ｔ２に格納する。
　【００２５】
　そして、生成手段Ｔ３は、記憶部Ｔ２の解析結果からプログラムを順次呼び出し、つまり、例えば、解析結果が初期表示のプログラムを呼び出し、Ｊａｖａソースコードを生成する。すべての解析結果に対して、プログラムを変換し、Ｊａｖａソースファイル４２を生成する。
　【００２６】
　このＪａｖａソースファイル４２を、Ｊａｖａコンパイラ手段Ｃ２を用いて、Ｊａｖａ　Ａｐｐｌｅｔ３１にコンパイルする。
　【００２７】
　このように、変換手段Ｔにより、グラフィック画面手段ＧＲに用いられるプラント監視画面ソースファイル４１をＪａｖａソースファイル４２に変換するので、専用端末を設けなくとも、ＷＷＷブラウザ手段１０でプラント監視画面を見ることができる。
　【００２８】
　なお、本発明はこれに限定されるものではなく、以下のものでもよい。
　ＨＴＭＬファイル３２にプラント監視画面を切り替えるためのリンクタグを設ける構成を示したが、Ｊａｖａ　Ａｐｐｌｅｔ３１にプラント監視画面を切り替えるプログラムを設ける構成にしてもよい。
　【００２９】
　また、変換手段Ｔに記憶部Ｔ２を設ける構成を示したが、解析手段Ｔ１あるいは生成手段Ｔ３が記憶部Ｔ２の機能を含む構成でもよい。
　【００３０】
　【発明の効果】
　本発明によれば、以下のような効果がある。
　請求項１，２によれば、ＷＷＷサーバ手段によりＨＴＭＬファイルを公開し、ＷＷＷブラウザ手段で、ＨＭＴＬファイルを読み込み、プログラムファイルを読み込んで、プログラムファイルの指示によりプロセスデータを取得し、プラント監視画面の表示を行う。従って、プラント監視画面を表示するための専用ソフトを予めインストールする必要がない。つまり、専用端末を必要としない。
　【００３１】
　請求項３によれば、ＨＴＭＬファイルを用いているので、他のＨＴＭＬファイルを呼び出すリンクタグを用いれば、プラント監視画面の切替をユーザが自由に設定変更することができる。そして、画面切替のために、プログラムファイルにリンクのプログラムを作成する必要がない。
　【００３２】
　請求項４，５によれば、変換手段により、プラント監視専用のグラフィックス画面手段に用いられるプラント監視画面ソースファイルをプログラムソースファイルに変換するので、専用端末を設けなくとも、ＷＷＷブラウザ手段でプラント監視画面を見ることができる。
【図面の簡単な説明】
　【図１】
　本発明の一実施例を示した構成図である。
　【図２】
　プラント監視画面のプログラム変換装置の構成を示した図である。
　【図３】
　変換手段Ｔの具体的構成を示した図である。
　【図４】
　変換手段Ｔの動作を示したフローチャートである。
　【図５】
　従来のプラント監視装置を示した構成図である。
　【符号の説明】
　１０　ＷＷＷブラウザ手段
　２１　ＷＷＷサーバ手段
　２２　プロセスデータベースハンドラ
　２３　リモート・データ・アクセス・サーバ手段
　３１　Ｊａｖａ　Ａｐｐｌｅｔ
　３２　ＨＴＭＬファイル
　４１　プラント監視画面ソースファイル
　４２　Ｊａｖａソースファイル
　Ｃ２　Ｊａｖａコンパイラ手段
　Ｔ　変換手段
　Ｔ１　解析手段
　Ｔ２　生成手段